(57)【要約】【課題】  健常者にとっても患者にとっても使い勝手の良い鏡を提供する。【解決手段】  鏡ユニット１１を構成するフレーム１２の内部に鏡板１８をその下端部１８ａを中心に前後方向の傾動可能に支持する。フレーム１２と鏡板１８の間に鏡板１８の傾動操作機構１９を設ける。傾動操作機構１９を構成するモータ２０に連結したリール２２が時計回り方向に回転されると、傾動操作紐２９が巻き戻されて、鏡板１８がバネ３２の付勢力によって前方に押圧され、鏡板１８が垂直位置から傾斜位置に切り換えられる。反対に、前記リール２２が反時計回り方向に回転されると、傾動操作紐２９が巻き上げられ鏡板１８が傾斜位置から垂直位置に切り換えられる。このようにして鏡板１８の前後方向の傾動動作が行われるので、健常者にとっても身体障害者にとっても鏡としての使い勝手が向上する。  【選択図】      図１
2005131265.tif 000002
【特許請求の範囲】
【請求項１】
フレームに対して鏡板を水平軸線を中心に傾動可能に支持し、前記フレームと鏡板との間に鏡板を傾動操作するための傾動操作機構を設けたことを特徴とする鏡。
【請求項２】
請求項１において、前記鏡板はその下端縁を中心に前後方向に傾動されるようになっていることを特徴とする鏡。
【請求項３】
請求項１又は２において、前記傾動操作機構は、スイッチの操作により自動的に鏡板を任意の傾斜角度に傾動動作するように構成されていることを特徴とする鏡。
【請求項４】
請求項３において、前記傾動操作機構は、正逆回転されるモータと、このモータの回転運動を鏡板に傾動運動として伝達する動力伝達機構とによって構成されていることを特徴とする鏡。
【請求項５】
請求項１又は２において、前記傾動操作機構は、手動操作可能に構成されていることを特徴とする鏡。
【請求項６】
請求項１において、前記フレームは外フレームと、鏡板を収容固定する内フレームとにより構成され、該内フレームが鏡板とともに外フレームの内部において傾動可能に支持されていることを特徴とする鏡。
【発明の詳細な説明】
【技術分野】
【０００１】
本発明は、特に車椅子に乗った患者や身体障害者に好適な鏡に関する。
【背景技術】
【０００２】
一般に、病院や養護施設等で患者や身体障害者が車椅子に乗って洗面台に向かうとき、鏡板が壁の所定の高さ位置に垂直に固定して設けられているので、患者の顔面が鏡板の高さ位置に適正に対応しない場合がある。この場合には、洗面・化粧が行い難く、一部の施設では鏡板を壁に対して上端が手前に傾斜した状態で取り付けて、患者が鏡板を使用し易いようにした構成の鏡も用いられている。
【発明の開示】
【発明が解決しようとする課題】
【０００３】
ところが、上記従来の傾斜した固定式の鏡板は、患者や身体障害者にとっては洗面・化粧が行い易いので、好都合であるが、健常者にとっては使い勝手が悪い上に、鏡板が常時傾斜状態にあるので、室内の景観も損なうという問題がある。
【０００４】
本発明は、上記従来の技術に存する問題点を解消して、健常者にとっても患者にとっても使い勝手の良い鏡を提供することにある。
【課題を解決するための手段】
【０００５】
上記問題点を解決するために、請求項１に記載の発明は、フレームに対して鏡板を水平軸線を中心に傾動可能に支持し、前記フレームと鏡板との間に鏡板を傾動操作するための傾動操作機構を設けたことを要旨とする。
【０００６】
請求項２に記載の発明は、請求項１において、前記鏡板はその下端縁を中心に前後方向に傾動されるようになっていることを要旨とする。
請求項３に記載の発明は、請求項１又は２において、前記傾動操作機構は、スイッチの操作により自動的に鏡板を任意の傾斜角度に傾動動作するように構成されていることを要旨とする。
【０００７】
請求項４に記載の発明は、請求項３において、前記傾動操作機構は、正逆回転されるモータと、このモータの回転運動を鏡板に傾動運動として伝達する動力伝達機構とによって構成されていることを要旨とする。
【０００８】
請求項５に記載の発明は、請求項１又は２において、前記傾動操作機構は、手動操作可能に構成されていることを要旨とする。
請求項６に記載の発明は、請求項１において、前記フレームは外フレームと、鏡板を収容固定する内フレームとにより構成され、該内フレームが鏡板とともに外フレームの内部において傾動可能に支持されていることを要旨とする。
【発明の効果】
【０００９】
請求項１記載の発明によれば、傾動操作機構によって鏡板の傾斜角度を変更することができるので、鏡板の状態を健常者又は患者や身体障害者に適した傾斜状態に容易に変更することができ、使い勝手を向上することができる。
【００１０】
請求項２記載の発明によれば、請求項１記載の発明の効果に加えて、前記鏡板の適正な傾斜角度を最小限にすることができ、傾動操作機構による傾動操作を容易に行うことができる。
【００１１】
請求項３記載の発明によれば、請求項１又は２記載の発明の効果に加えて、スイッチの操作により自動的に鏡板を任意の傾斜角度に傾動調節することができ、使い勝手をさらに向上することができる。
【００１２】
請求項４記載の発明によれば、請求項３記載の発明の効果に加えて、自動式の傾動操作機構を、モータと動力伝達機構とによって容易に製造することができる。
請求項５記載の発明によれば、請求項１又は２記載の発明の効果に加えて、傾動操作機構の構成を簡素化して部品点数を低減し、製造を容易に行うことができる。
【００１３】
請求項６記載の発明によれば、請求項１記載の発明の効果に加えて、外フレームの内部で鏡板を固定した内フレームが傾動する構成のため、内フレームの内部の鏡板を最前端位置に保持し、かつ内フレームの傾動支点を外フレームの内奥側に保持することができ、傾動支点から鏡板までの水平方向の距離を長くすることができる。このため、内フレームの傾動角が小さくても鏡板の傾斜角を十分確保でき、壁の表面から外フレーム及び内フレームの前端縁までの張り出し寸法を短くすることができる。
【発明を実施するための最良の形態】
【００１４】
以下、本発明を具体化した鏡の一実施形態を図１〜図３に従って説明する。
図３に示す鏡ユニット１１のフレーム１２は、木材よりなる左右両側の側板１３，１４と、上板１５及び底板１６とによって全体として四角枠状に構成されている。このフレーム１２の内奥部には背板１７が取り付けられている。前記底板１６の上面には図１及び図２に示すように直線状の係合溝１６ａが水平方向に、かつ側板１３，１４の間全長にわたって形成され、係合溝１６ａには正面四角形状の鏡板１８の下端縁が係合され、この下端縁を傾動中心軸線（水平軸線）として鏡板１８が前後（図１において左右）方向の傾動可能に支持されている。
【００１５】
前記鏡板１８はフレーム１２と鏡板１８の間に設けられた傾動操作機構１９によって前後方向の往復傾動可能になっている。この傾動操作機構１９について説明すると、図２に示すように前記底板１６の上面には正逆回転可能なモータ２０が設置され、減速機構２１を介して巻き取り・巻き戻し用リール２２が水平に支持されている。前記背板１７の前面には、図１に示すように前記巻き取り・巻き戻し用リール２２の近くに位置するようにブラケット２３を介してローラ２４が回転可能に取り付けられている。又、鏡板１８の上端部にはブラケット２５を介してローラ２６が回転可能に取り付けられている。さらに、前記背板１７の前面には前記ローラ２６と対応してブラケット２７を介してローラ２８が回転可能に取り付けられている。鏡板１８を傾動させるための傾動操作紐２９の一端（下端）は、前記巻き取り・巻き戻し用リール２２に係止され、前記ローラ２４、２６、２８を順次経由して、背板１７の上部に設けた引き出し孔１７ａから外部に導出され、背板１７の裏面に係止されている。この実施形態では、前記リール２２、ローラ２４，２６，２８及び傾動操作紐２９等によりモータ２０の回転運動を鏡板１８の傾動運動に変換するための動力伝達機構を構成している。
【００１６】
図１に実線で示すように、鏡板１８が垂直状態では、傾動操作紐２９の下端側がリール２２上に所定の長さだけ巻き上げられている。従って、リール２２が図１において時計回り方向に回転されると、傾動操作紐２９が緩んで鏡板１８が前方に傾斜されることになる。
【００１７】
前記底板１６の上面には前記鏡板１８が垂直状態に移動されたとき、鏡板１８の裏面に接触して、その位置を規制するための棒バネよりなる位置規制部材３０がボルト３１によって取り付けられている。前記背板１７の前面には前記鏡板１８が前方へ傾動されるのを助成するためのコイル状のバネ３２が片持ち支持され、その先端が鏡板１８の裏面に接触されている。
【００１８】
次に、前記モータ２０を正逆回転させるための動作装置について説明する。
図２に示すように、前記背板１７の前面にはモータ制御装置３３が取り付けられ、このモータ制御装置３３はリード線３４によって前記モータ２０と接続されている。前記側板１３の内側面には上板１５を貫通するアンテナ３５の基端部がビスにより固定され、アンテナ３５はリード線３６により前記モータ制御装置３３と接続されている。背板１７の前面には乾電池を収容可能な電池ユニット３７が取り付けられ、電池ユニット３７と前記モータ制御装置３３はリード線３８，３９によって接続されている。前記リード線３９の途中には背板１７の外部からオン・オフ操作可能なスイッチ４０が取り付けられている。リモートコントロールユニット（以下リモコンユニット４１という）には、電源スイッチ４２と、モータ２０を正回転、又は逆回転させるためのレバー式のスイッチ４３が設けられている。
【００１９】
上記のように構成された鏡ユニット１１は、図１に示すように壁４５に取り付けられる。フレーム１２の上面にはアングル状のブラケット４６が取り付けられ、このブラケット４６をボルト４７によって前記壁４５に締め付けることにより鏡ユニット１１が壁４５の所定位置に取り付けられる。
【００２０】
次に、前記のように構成した鏡について、その動作を説明する。
前記リモコンユニット４１のスイッチ４３が正回転方向に傾動操作されると、発信器４４から発信された電波が前記アンテナ３５によって受信される。これによって、前記モータ制御装置３３から正回転動作させる電流がリード線３４を介して前記モータ２０に入力され、前記モータ２０のリール２２が正回転される。このため、前記リール２２は図１において時計回り方向に回転され、リール２２に巻き取られていた傾動操作紐２９が巻き戻されるため鏡板１８がその下端部１８ａを中心にバネ３２の付勢力によって図１において時計回り方向に傾動され、実線で示す垂直位置から二点鎖線で示す傾斜位置に傾斜される。
【００２１】
鏡板１８が傾斜位置に保持された状態で、患者や身体障害者は鏡板１８に自らの上半身を写すことができ、洗面・化粧動作を容易に行うことができる。
反対に、リモコンユニット４１のスイッチ４３が逆回転方向に傾動操作されると、発信器４４から発信された逆回転指令信号がアンテナ３５によって受信される。これによって、前記モータ２０が逆回転され、リール２２によって傾動操作紐２９が巻き上げられ、前記鏡板１８は図１に二点鎖線で示す傾斜位置から実線で示す垂直位置に切り換えられる。このため、健常者が鏡板１８を用いて、洗面・化粧動作を容易に行うことができる。
【００２２】
上記実施形態の鏡によれば、以下のような効果を得ることができる。
（１）上記実施形態では、前記傾動操作機構１９及びリモコンユニット４１によって鏡板１８を前後方向の傾動可能にしたので、鏡ユニット１１を健常者が使用するときには図１の実線で示す垂直状態に保持し、車椅子に乗った身体障害者等が使用するときには、傾動操作機構１９によって、鏡板１８を図１の二点鎖線で示す傾斜位置に切り換えることができる。このため、鏡板１８を健常者又は身体障害者に適した姿勢に変更することができ、使い勝手を向上することができる。
【００２３】
（２）上記実施形態では、リモコンユニット４１からの信号によって鏡板１８の姿勢を変更するようにしたので、身体障害者が容易に鏡板１８の姿勢を変更することができる。又、鏡板１８の傾斜角度も身体障害者等の体型に適した傾斜角度に自由に設定することができる。
【００２４】
（３）上記実施形態では、フレーム１２内に鏡板１８を収容して鏡ユニット１１としたので、壁４５に対し例えばブラケット４６とボルト４７等を用いて鏡ユニット１１を容易に脱着することができる。
【００２５】
なお、上記実施形態は以下のように変更してもよい。
○  図４に示すように、前記鏡ユニット１１のフレーム１２の内部に鏡板１８を嵌合固定し、フレーム１２の下端内奥部をヒンジ機構５０により前後方向の傾動可能に支持し、図示しない自動又は手動式の傾動機構により鏡板１８を傾動するようにし、内フレームとしてのフレーム１２の外側に所定の間隔をもって配置される外フレーム５１を壁４５に取付固定してもよい。
【００２６】
この場合には、内フレーム１２の内部の鏡板１８を最前端位置に保持し、内フレーム１２の傾動支持点（ヒンジ機構５０）から鏡板１８までの水平方向の距離を長くすることができる。このため、内フレーム１２の傾動角が小さくても鏡板１８の傾斜角を十分確保でき、壁４５の表面から外フレーム５１及び内フレーム１２の前端縁までの張り出し寸法Ｗを短くすることができる。
【００２７】
○  図５に示すように、鏡板１８の上下方向の中心部をヒンジ機構５０により前後方向の傾動可能に支持してもよい。又、図６に示すように鏡板１８の上端部をヒンジ機構５０により水平軸線の回りに前後方向に傾動可能に保持するようにしてもよい。
【００２８】
○  図７に示すように、壁４５の内部にフレーム１２全体を埋め込み固定するようにしてもよい。
○  図示しないが、例えば、手動操作紐、手動操作ワイヤー又は手動操作ロッド等の各種の手動傾動機構の操作つまみを操作することにより鏡ユニット１１の鏡板１８を傾動動作するように構成してもよい。
【００２９】
○  図示しないが、前記鏡ユニット１１を壁４５に対してワンタッチで脱着可能に掛止する例えば壁４５に取り付けた掛止ピンと、フレーム１２に取り付けたフックとにより構成してもよい。
【００３０】
○  図示しないが、壁４５自体をフレームとして、壁４５の内部に鏡板１８の収容凹所を設け、該凹所に鏡板１８を傾斜可能に収容してもよい。
○  図示しないが、動力伝達機構の構成を、例えばウォームとホイール機構、レバー・リンク機構あるいはシリンダ、電磁ソレノイド等に変更したり、その他の機構に変更したりしてもよい。
【００３１】
○  リモコン式に代えて、有線方式の電動傾動機構を用いてもよい。
【図面の簡単な説明】
【００３２】
【図１】この発明を具体化した鏡ユニットの縦断面図。
【図２】鏡ユニットの正面図。
【図３】鏡ユニット全体を示す斜視図。
【図４】この発明の別例を示す縦断面図。
【図５】この発明の別例を示す縦断面図。
【図６】この発明の別例を示す縦断面図。
【図７】この発明の別例を示す縦断面図。
【符号の説明】
【００３３】
１２…フレーム、１８…鏡板、１９…傾動操作機構、２０…モータ、４０，４３…スイッチ、５１…外フレーム。
【図１】
2005131265.tif 000003
【図２】
2005131265.tif 000004
【図３】
2005131265.tif 000005
【図４】
2005131265.tif 000006
【図５】
2005131265.tif 000007
【図６】
2005131265.tif 000008
【図７】
2005131265.tif 000009